(57)【要約】【課題】  引手を引いて開き戸を開ける操作をより円滑に行えるようにする。【解決手段】  軸部２７が水平軸まわりに回動可能に開き戸に取付けられると共に作用片１５の回動が一定範囲内となるように規制された引手９と、ラッチ爪１１と連結され垂直軸まわりに回動可能に開き戸に取付けられたラッチ杆１６と、ラッチ杆１６に外嵌する外嵌部１７ｂ及び水平方向へ突出する突出部１８が設けられたラッチ杆連結体１７と、作用片１５と突出部１８との間において、本体部２２に形成された上下方向軸が垂直軸まわりに回動可能に支持されて開き戸に取付けられると共に、本体部２２から略水平方向に突出する、作用片の前面１５ａに当接する引手当接部２０及び突出部の前面１８ａに当接する連結体当接部２１が設けられた作動アーム１９と、突出部１８を連結体当接部２１方向へ付勢する弾性体２６とを備えた。【選択図】        図７
2006070434.tif 000002
【特許請求の範囲】
【請求項１】
キャビネットの開き戸の自由端側に設けられた引手の操作に連動して、該開き戸の上下のラッチ爪と前記キャビネット本体側の係合孔との係合を解除可能な引手装置であって、
上下を長手方向とし、その下端又は上端の支持端が、前記開き戸の前面板と略平行な水平軸まわりに回動可能に、前記開き戸に取り付けられると共に、その上端又は下端の回動端の回動が一定範囲内となるように規制されてなる引手と、
前記上下のラッチ爪と連結され、該ラッチ爪と一体的に垂直軸まわりに回動可能に前記開き戸に取り付けられてなるラッチ杆と、
該ラッチ杆の上下方向の中間部分に外嵌する外嵌部及び該外嵌部から略水平方向へ突出する突出部を有するラッチ杆連結体と、
前記引手の回動端に形成された作用片と前記ラッチ杆連結体の突出部との間において、その本体部に形成された上下方向軸が垂直軸まわりに回動可能に支持されて、前記開き戸に取り付けられると共に、該本体部から略水平方向に突出する、前記作用片の前面に当接する引手当接部及び前記ラッチ杆連結体の突出部の前面に当接する連結体当接部が設けられてなる作動アームと、
前記ラッチ杆連結体の突出部に前記作動アームの連結体当接部へ向かう方向の付勢力を付与する弾性体と、
を備えたことを特徴とする引手装置。
【請求項２】
前記ラッチ杆が角棒であり、前記ラッチ爪及びラッチ杆連結体に角形係合孔を形成して、該ラッチ爪及びラッチ杆連結体を該ラッチ杆に外嵌してなる請求項１記載の引手装置。
【請求項３】
前記引手の下端が、前記水平軸まわりに回動可能に、前記引手を収容する引手ケースの下部に取り付けられると共に、前記引手の作用片が該引手ケースの上部の回動規制孔に挿入されて、該作用片の該水平軸まわりの回動が一定範囲内となるように規制されてなる請求項１記載の引手装置。
【請求項４】
前記作動アームの上下方向軸を枢支するハウジング内に、前記ラッチ杆連結体及び弾性体を収容してなる請求項１記載の引手装置。
【請求項５】
前記弾性体がねじりコイルばねであり、そのコイル部に前記ラッチ杆連結体の外嵌部を挿通してなる請求項１又は４記載の引手装置。
【発明の詳細な説明】
【技術分野】
【０００１】
本発明は、キャビネットの開き戸の自由端側に設けられた引手の操作に連動して、該開き戸の上下のラッチ爪と前記キャビネット本体側の係合孔との係合を解除可能な引手装置の改良に関するものである。
【背景技術】
【０００２】
収納庫等の各種キャビネットにおける、開き戸の自由端側に設けられた引手の操作に連動して、該開き戸の上下のラッチ爪と前記キャビネット本体側の係合孔との係合を解除可能な引手装置として、開き戸（扉）の引手孔に臨ませた引手（引手部材）の基端の垂直回動軸と該引手の先端との間の位置に、上下両端部にキャビネット（ロッカー）本体側の係合孔（孔状係合部）に係合し得るラッチ爪を有すると共に、垂直軸まわりに回動可能に軸支されてなるラッチ杆を設け、該ラッチ杆に固着したレバーの先端部を該引手の先端部寄りに係合させてなるもの（例えば、特許文献１参照。）がある。
【０００３】
このような引手装置の構成によれば、前記引手を前記開き戸の前面方向に回動すると、前記ラッチ杆に固着したレバーが前記引手よりも大きく回動するため、前記ラッチ爪を前記係合孔から外す動作（ラッチの解除動作）に要する前記ラッチ爪の回動角に対して、前記ラッチの解除動作に必要な前記引手の回動角を小さくできるものである。したがって、前記開き戸の内側に配設する前記引手のための所要奥行寸法を小さくすることができるものである。
【特許文献１】実公昭６２−２７６４９号公報（第１−７図）
【発明の開示】
【発明が解決しようとする課題】
【０００４】
前記引手の回動角がより小さくても前記ラッチの解除動作を可能として、前記引手を引いて前記開き戸を開ける操作をより円滑に行えるようにするためには、前記ラッチ杆の回動角と前記引手の回動角との比（（前記ラッチ爪の回動角）／（前記引手の回動角）。以下、「拡大率」という。）がより大きい方が好ましいものである。例えば、前記拡大率が１０程度であると、前記操作をより円滑に行うことができるため、該操作性の向上のために好ましいものである。しかし、特許文献１のような引手装置の構成では、前記拡大率が２ないし４程度にとどまるものであるため、前記操作性の向上を図ることができないという問題点がある。
【０００５】
また、特許文献１のような引手装置では、前記ラッチ杆の上端部には下向き突起を備えるラッチ爪が遊嵌され、前記ラッチ杆の下端部には上向き突起を備えるラッチ爪が遊嵌され、該上下のラッチ爪と開き戸（扉）の前面板との間にそれぞれねじりばねが装架され、該ばねによって前記上下のラッチ爪が、開き戸の上下両端近傍におけるキャビネット（ロッカー）本体の前枠前面に設けた係合孔（孔状係合部）に係合する方向に付勢される。また、前記ラッチ杆には、上側のラッチ爪の下方に上向き突起を備えた押圧体が固着されて、該上向き突起を前記上側のラッチ爪の下向き突起に接当させる一方、前記ラッチ杆には、下側のラッチ爪の上方に下向き突起を備えた押圧体が固着されて、該下向き突起を前記下側のラッチ爪の上向き突起に接当させるように構成される。さらに、引手を開き戸の後側へ付勢力を付与する引張りばねも設けられる。
【０００６】
このように特許文献１のような引手装置の構成では、上下のねじりばね及び引張りばねを設ける必要がある等、前記のとおり部品点数が多いため、組立性及び保守性の向上を図ることができないという問題点がある。また、コスト低減化を図ることができないという問題点がある。
【０００７】
本発明は、前記のような問題点を解決するためになされたものであり、前記拡大率をより大きくして前記操作性を向上することができる引手装置を得ることを目的とする。また、簡素な構成により、組立性及び保守性の向上並びにコスト低減化を図ることができる引手装置を得ることを目的とする。
【課題を解決するための手段】
【０００８】
本発明に係る引手装置は、前記課題解決のために、キャビネットの開き戸の自由端側に設けられた引手の操作に連動して、該開き戸の上下のラッチ爪と前記キャビネット本体側の係合孔との係合を解除可能な引手装置であって、上下を長手方向とし、その下端又は上端の支持端が、前記開き戸の前面板と略平行な水平軸まわりに回動可能に、前記開き戸に取り付けられると共に、その上端又は下端の回動端の回動が一定範囲内となるように規制されてなる引手と、前記上下のラッチ爪と連結され、該ラッチ爪と一体的に垂直軸まわりに回動可能に前記開き戸に取り付けられてなるラッチ杆と、該ラッチ杆の上下方向の中間部分に外嵌する外嵌部及び該外嵌部から略水平方向へ突出する突出部を有するラッチ杆連結体と、前記引手の回動端に形成された作用片と前記ラッチ杆連結体の突出部との間において、その本体部に形成された上下方向軸が垂直軸まわりに回動可能に支持されて、前記開き戸に取り付けられると共に、該本体部から略水平方向に突出する、前記作用片の前面に当接する引手当接部及び前記ラッチ杆連結体の突出部の前面に当接する連結体当接部が設けられてなる作動アームと、前記ラッチ杆連結体の突出部に前記作動アームの連結体当接部へ向かう方向の付勢力を付与する弾性体とを備えたものである。
【０００９】
ここで、前記ラッチ杆が角棒であり、前記ラッチ爪及びラッチ杆連結体に角形係合孔を形成して、該ラッチ爪及びラッチ杆連結体を該ラッチ杆に外嵌してなると好ましい。
【００１０】
また、前記引手の下端が、前記水平軸まわりに回動可能に、前記引手を収容する引手ケースの下部に取り付けられると共に、前記引手の作用片が該引手ケースの上部の回動規制孔に挿入されて、該作用片の該水平軸まわりの回動が一定範囲内となるように規制されてなると好ましい。
【００１１】
さらに、前記作動アームの上下方向軸を枢支するハウジング内に、前記ラッチ杆連結体及び弾性体を収容してなると好ましい。
【００１２】
さらにまた、前記弾性体がねじりコイルばねであり、そのコイル部に前記ラッチ杆連結体の外嵌部を挿通してなると好ましい。
【発明の効果】
【００１３】
本発明に係る引手装置によれば、キャビネットの開き戸の自由端側に設けられた引手の操作に連動して、該開き戸の上下のラッチ爪と前記キャビネット本体側の係合孔との係合を解除可能な引手装置であって、上下を長手方向とし、その下端又は上端の支持端が、前記開き戸の前面板と略平行な水平軸まわりに回動可能に、前記開き戸に取り付けられると共に、その上端又は下端の回動端の回動が一定範囲内となるように規制されてなる引手と、前記上下のラッチ爪と連結され、該ラッチ爪と一体的に垂直軸まわりに回動可能に前記開き戸に取り付けられてなるラッチ杆と、該ラッチ杆の上下方向の中間部分に外嵌する外嵌部及び該外嵌部から略水平方向へ突出する突出部を有するラッチ杆連結体と、前記引手の回動端に形成された作用片と前記ラッチ杆連結体の突出部との間において、その本体部に形成された上下方向軸が垂直軸まわりに回動可能に支持されて、前記開き戸に取り付けられると共に、該本体部から略水平方向に突出する、前記作用片の前面に当接する引手当接部及び前記ラッチ杆連結体の突出部の前面に当接する連結体当接部が設けられてなる作動アームと、前記ラッチ杆連結体の突出部に前記作動アームの連結体当接部へ向かう方向の付勢力を付与する弾性体とを備えたので、前記拡大率をより大きくすることができるため、前記引手の回動角がより小さくても前記ラッチの解除動作が可能となり、前記引手を引いて前記開き戸を開ける操作をより円滑に行うことができる。
【００１４】
また、前記ラッチ杆が角棒であり、前記ラッチ爪及びラッチ杆連結体に角形係合孔を形成して、該ラッチ爪及びラッチ杆連結体を該ラッチ杆に外嵌してなると、該ラッチ杆、ラッチ爪及びラッチ杆連結体の簡素な構成により、組立性及び保守性の向上並びにコスト低減化を図ることができると共に、該ラッチ杆及びラッチ爪の垂直軸まわりの回動動作の信頼性を向上することができる。
【００１５】
さらに、前記引手の下端が、前記水平軸まわりに回動可能に、前記引手を収容する引手ケースの下部に取り付けられると共に、前記引手の作用片が該引手ケースの上部の回動規制孔に挿入されて、該作用片の該水平軸まわりの回動が一定範囲内となるように規制されてなると、該引手及び引手ケースの簡素な構成により、組立性及び保守性の向上並びにコスト低減化を図ることができる。
【００１６】
さらにまた、前記作動アームの上下方向軸を枢支するハウジング内に、前記ラッチ杆連結体及び弾性体を収容してなると、該ハウジングによりユニット化されてなる作動アーム、ラッチ杆連結体及び弾性体の簡素な構成により、組立性及び保守性の向上並びにコスト低減化を図ることができる。
【００１７】
また、前記弾性体がねじりコイルばねであり、そのコイル部に前記ラッチ杆連結体の外嵌部を挿通してなると、機構の簡素化、コンパクト化及び部品点数の削減等によるコスト低減化を図ることができる。
【発明を実施するための最良の形態】
【００１８】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、キャビネットを正面側から（開口部に向かって）見た手前側を前、その反対側を後、キャビネットを正面側から見た左右を左右とする。
【００１９】
図１及び図２は、本発明の実施の形態に係る引手装置が用いられたキャビネットの斜視図及び右側断面図である。図において、キャビネット１は、正面側（前側）に開口部２ａを備えると共に、平面視矩形のベース３、このベース３の左右両側に配設された側面視矩形の左側板４及び右側板５、これらベース３及び側板４，５の後端に配設された正面視（背面視）矩形の図示しない背板、並びに、前記側板４，５及び背板の上端に配設された平面視矩形の天板６により構成されるキャビネット本体２、並びに、開口部２ａを覆う開き戸７，８等により構成される。
【００２０】
開き戸７は、その左端の支持端７ａが垂直軸まわりに回動可能にキャビネット本体２に取り付けられており、その右端の自由端７ｂを前側に開くことができるものである。また、開き戸８は、その右端の支持端８ａが垂直軸まわりに回動可能にキャビネット本体２に取り付けられており、その左端の自由端８ｂを前側に開くことができるものである。開き戸８の自由端８ｂ側には引手９が設けられているため、後述のように引手９を引くことによりラッチが解除されて開き戸８を開けることができる。また、開き戸７には引手を設けていないが、開き戸８を開けた後に開き戸７の自由端７ｂを持って、該開き戸７を開けることができる。
【００２１】
引手９は、上下を長手方向とし、その下端の支持端９ａが、開き戸８の前面板８ｃと略平行な水平軸まわりに回動可能に、開き戸８に取り付けられる。すなわち、該支持端９ａは、前記前面板８ｃに装着される引手ケース１０の下部に枢支される。
【００２２】
図３〜図５は、引手装置の構成説明図であり、図３は正面拡大図、図４は平面拡大断面図、図５は図３のＸ−Ｘ断面図である。また、図６は、引手及び該引手を収容する引手ケースの構成説明図である。さらに、図７は、引手装置の分解斜視図である。
【００２３】
ラッチ杆１６は例えば鋼製の角棒であり、その上下にはラッチ爪１１，１２が外嵌されている。開き戸８を閉じた状態では、該ラッチ爪１１，１２がキャビネット本体２の上下の係合孔１３，１４に係合しているため該開き戸８を閉じた状態が保持され、開き戸が不意に開かないように構成されている（下側のラッチ爪１２及び係合孔１４は図２参照。）。
【００２４】
ラッチ爪１１，１２は、例えばポリアセタール、ポリプロピレン又はＡＢＳ等の熱可塑性樹脂の射出成形により製作される。また、係合孔１３，１４にはラッチ爪１１，１２の損傷を防ぐための樹脂製のブシュ３４，３４が装着される。例えば、図４に示すように、天板６の前面６ａに形成された係合孔１３には前記ブシュ３４が装着される。なお、以下におけるラッチの説明は上側のラッチ爪１１まわりの構成のみを説明するが、下側のラッチ爪１２まわりの構成も同様のものである。
【００２５】
図７に示すように、平面視略鉤状のラッチ爪１１には、ラッチ杆１６の上端が嵌入される角形係合孔１１ａが形成された円筒部１１ｂ及び該ラッチ杆１６の回動を規制するための突出部１１ｃが設けられている。また、該ラッチ爪１１を垂直軸まわりに回動可能に支持するラッチ爪ケース３０には、ラッチ爪１１の円筒部１１ｂの下部に外嵌する丸孔３０ａと該円筒部１１ｂに略外接するリブ３１〜３３が形成されている。そして、ラッチ爪ケース３０は開き戸８の前面板８ｃに、例えば該前面板８ｃの裏側に形成された角孔に嵌めこまれて固定される。なお、ラッチ爪ケース３０は、例えばポリアセタール、ポリプロピレン又はＡＢＳ等の熱可塑性樹脂の射出成形により製作される。
【００２６】
また、図４の実線及び２点鎖線に示すように、ラッチ爪１１は垂直軸まわりに回動するが、該回動は、ラッチ爪１１の左側面の突出部１１ｃ及びラッチ爪１１の右側面がラッチ爪ケース３０に当接することにより、一定範囲内となるように規制される。このような簡素な構成により、ラッチ杆１６は、上下のラッチ爪１１，１２と一体的に垂直軸まわりに回動可能に開き戸８に取り付けられる。
【００２７】
図３及び図７に示すように、ラッチ杆１６の上下方向の中間部分には、ラッチ杆連結体１７が外嵌されている。該ラッチ杆連結体１７には、角形係合孔１７ａが形成された例えば円筒状の外嵌部１７ｂ及び該外嵌部１７ｂから略水平方向へ突出する突出部１８が設けられている。
【００２８】
図５〜図７に示すように、引手９は、その支持端９ａに形成した左右方向の軸部２７，２７を引手ケース１０下部の係合溝部２８に係合させることにより、開き戸８の前面板８ｃと略平行な水平軸まわりに前後方向に回動可能に取り付けられる。該係合溝部２８は、後方に開放した略Ｕ字状に形成されており、該係合溝部２８の後部の上下間隔は前記軸部２７，２７の外径よりも若干小さく形成されている。また、該係合溝部２８の前部内面は前記軸部２７，２７に略外接する大きさに形成されている。なお、引手ケース１０の係合溝部２８の上側にはスリット２９が形成されており、該係合溝部２８の周囲が弾性変形しやすいため、引手９を引手ケース１０に組み付ける際の作業性を向上することができる。
【００２９】
また、引手９には、その回動端９ｂに、該回動をラッチ爪１１，１２に伝えてラッチを解除するための作用片１５が形成されている。さらに、引手９は、上下を長手方向として、その前側に指掛け部９ｃが形成されているため、右手又は左手のどちらの手によっても容易に操作することができる。また、該指掛け部９ｃと支持端９ａとの距離が大きいため、後述のラッチを解除するための引手９の回動動作をより容易に行うことができる。
【００３０】
図６に示すように、引手ケース１０は、引手９を収容するための前面側を開放した略舟形の凹部を有するものである。そして、引手ケース１０の上部には、前記作用片１５の前面１５ａ又は後面１５ｂに当接して引手９の前後方向の回動を規制する回動規制孔１０ａが形成されている。また、前記略舟形の凹部の後面には上下方向に延びると共に引手９の左右方向の幅よりも若干大きい横幅を有する引手挿通孔１０ｂが形成されている。
【００３１】
したがって、引手９の引手ケース１０への組み付けは、以下のように行うことができる。先ず、引手９の下端の支持端９ａの軸部２７，２７を引手ケース１０の後側に位置させた状態で、該引手９の上端の回動端９ｂの作用片１５を引手ケース１０の上部の回動規制孔１０ａに下側から挿通する。次に、前記のとおり、引手９下部の軸部２７，２７を、引手ケース下部の係合溝部２８に係合させる。
【００３２】
このようにして、容易かつ確実に、引手９を引手ケース１０に組み付けることができる。特に、引手９及び引手ケース１０の組み付け作業時に、引手９及び引手ケース１０以外のばね等の部品の装着が全く不要であるため、このような簡素な構成により、組立性及び保守性の向上並びにコスト低減化を図ることができる。また、引手９を組み付けた引手ケース１０を、開き戸８の前面板８ｃに形成した開口の後側から、開き戸８に容易に取り付けることができる。なお、引手９及び引手ケース１０は、例えばアルミニウム又はマグネシウム等のダイカスト又はポリアセタール、ポリプロピレン又はＡＢＳ等の熱可塑性樹脂の射出成形により製作される。
【００３３】
図３、図４及び図７に示すように、引手９の回動端９ｂ（該回動端９ｂに形成された作用片１５）とラッチ杆連結体１７との間には、作動アーム１９が配設されている。該作動アーム１９の上下方向軸が形成された本体部２２は、引手９の作用片１５とラッチ杆連結体１７の突出部１８との間において、垂直軸まわりに回動可能に開き戸８に取り付けられている。すなわち、前記本体部２２に形成された上下方向軸がハウジング２３の上下の係合孔２４，２４に係合することにより、作動アーム１９は該ハウジング２３に垂直軸まわりに回動可能に支持されている。また、作動アーム１９には、前記本体部２２から略水平方向に突出する、作用片１５の前面１５ａに当接する引手当接部２０及びラッチ杆連結体１７の突出部１８の前面１８ａに当接する連結体当接部２１が設けられている。
【００３４】
該ハウジング２３は、例えば開き戸８の前面板８ｃの裏側の補強部材に形成された角孔に嵌めこまれて固定される。なお、前記ラッチ杆連結体１７、作動アーム１９及びハウジング２３は、例えばポリアセタール、ポリプロピレン又はＡＢＳ等の熱可塑性樹脂の射出成形により製作される。
【００３５】
作動アーム１９の前記垂直軸まわりの回動は、引手当接部２０の前面２０ａがハウジング２３の前面板２５の左側面２５ａに当接すること、及び、連結体当接部２１の前面の突出部２１ａが該前面板２５の後面に当接することにより規制される。
【００３６】
前記ラッチ杆連結体１７の外嵌部１７ｂの上部及び下部がハウジング２３の上下の係合孔２３ａ，２３ａに内嵌される。ここで、ハウジング２３の上下面にはスリット２３ｂ，２３ｂが形成されており、該ハウジング２３が上下方向に弾性変形しやすいため、前記作動アーム１９及びラッチ杆連結体１７を該ハウジング２３へ組み付ける際の作業性を向上することができる。したがって、このような簡素な構成により、組立性及び保守性の向上並びにコスト低減化を図ることができる。
【００３７】
また、ラッチ杆１６は、その上下部に加え、その中間部も、ラッチ杆連結体１７を介して垂直軸まわりに回動可能に開き戸８に取り付けられるため、このような簡素な構成により、ラッチ杆１６及びラッチ爪１１，１２の垂直軸まわりの回動動作の信頼性を向上することができる。
【００３８】
前記ラッチ杆連結体１７の外嵌部１７ｂには、ねじりコイルばね２６のコイル部２６ａが遊嵌される。すなわち、該コイル部２６ａに該外嵌部１７ｂが挿通される。そして、ねじりコイルばね２６の一方の端末部２６ｂがラッチ杆連結体１７の突出部１８の後側に掛止され、他方の端末部２６ｃがハウジング２３の後側に掛止される。したがって、ラッチ杆連結体１７の突出部１８には、作動アーム１９の連結体当接部２１へ向かう方向に付勢力が付与される。
【００３９】
なお、ラッチ杆連結体１７の突出部１８に作動アーム１９の連結体当接部２１へ向かう方向の付勢力を付与する弾性体としては、ねじりコイルばね２６に限定されず、引張りコイルばね又はゴム等の弾性体を用いることもできる。ただし、本実施の形態のようにねじりコイルばね２６を用いれば、機構の簡素化、コンパクト化及び部品点数の削減等によるコスト低減化を図ることができる。
【００４０】
次に、以上のように構成された引手装置の動作について説明する。開き戸８が閉じられた図１及び図２にような状態において、例えば、図５のように、引手９の指掛け部９ｃに指を掛けて引手９を支持端９ａのまわりに前側へ回動させると（図５の２点鎖線参照。）、図４及び図７に示すように、引手９の作用片１５の前面１５ａに当接する引手当接部２０が前方へ押され、作動アーム１９が本体部２２に形成された上下方向軸まわりに回動する。この回動により、連結体当接部２１が後方へ移動し、該連結体当接部２１にその前面１８ａが当接するラッチ杆連結体１７の突出部１８が後方へ押されることになる。このように、ラッチ杆連結体１７の突出部１８がねじりコイルばね２６による付勢力に抗して後方へ押され、ラッチ杆連結体１７と一体的に回動するラッチ杆１６が回動して、該ラッチ杆１６と一体的に回動する上下のラッチ爪１１，１２が回動する（例えば、図４のラッチ爪１１の２点鎖線参照。）。
【００４１】
このようにして、引手９の操作によりラッチが解除されて、開き戸８を円滑に開けることができる。（１）図３及び図４に示すように、引手９の作用片１５とラッチ杆１６との距離を比較的小さく抑えていること（ラッチ杆１６を引手ケース１０の近傍に配設していること）、（２）ラッチ杆１６の回動を該作用片１５により直接行わずに、引手９の作用片１５、作動アーム１９及びラッチ杆連結体１７を介してラッチ杆１６が回動すること、（３）図３及び図５に示すように、引手９上部の作用片１５と下部の支持端９ａ（引手９下部の軸部２７，２７及び引手ケース１０下部の係合溝部２８）との距離が比較的大きいことから、このような簡素な構成により前記拡大率を大きくすることができるのである。
【００４２】
例えば、引手９の回動角を約３°、作動アーム１９の回動角を約３０°、ラッチ杆連結体１７、ラッチ杆１６及びラッチ爪１１，１２の回動角を約３０°とする構成を容易に実現することができる。したがって、このような簡素な構成により前記拡大率を１０程度とすることを容易に実現することができ、引手９を引いて開き戸８を開ける操作の操作性を向上することができる。
【００４３】
また、前記のとおり、引手９及び引手ケース１０の構成、作動アーム１９を枢支するハウジング２３内にラッチ杆連結体１７及び弾性体であるねじりコイルばね２６を収容してユニット化してなる構成、ラッチ用の弾性体として１個の弾性体（ねじりコイルばね２６）のみを用いる構成等により、機構の簡素化等が図られているため、組立性及び保守性の向上並びにコスト低減化を実現することができる。
【００４４】
以上の説明においては、上下を長手方向としてなる引手９の下端を支持端９ａとし、引手９の上端を回動端９ｂとして、該回動端９ｂに作用片１５を形成し、該作用片により、作動アーム１９、ラッチ杆連結体１７、ラッチ杆１６及びラッチ爪１１，１２を回動させる構成を示した。しかし、引手９の上端を支持端とし、引手９の下端を回動端として、該回動端に作用片１５を形成し、該作用片により、作動アーム１９、ラッチ杆連結体１７、ラッチ杆１６及びラッチ爪１１，１２を回動させる構成としてもよい。
【図面の簡単な説明】
【００４５】
【図１】本発明の実施の形態に係る引手装置が用いられたキャビネットの斜視図である。
【図２】同じく右側断面図である。
【図３】引手装置の正面拡大図である。
【図４】引手装置の平面拡大断面図である。
【図５】図３のＸ−Ｘ断面図である。
【図６】引手及び該引手を収容する引手ケースの構成説明図である。
【図７】引手装置の分解斜視図である。
【符号の説明】
【００４６】
１  キャビネット
２  キャビネット本体
７，８  開き戸
７ｂ，８ｂ  自由端
７ｃ，８ｃ  前面板
９  引手
９ａ  支持端
９ｂ  回動端
１０  引手ケース
１０ａ  回動規制孔
１１，１２  ラッチ爪
１１ａ  角形係合孔
１３，１４  係合孔
１５  作用片
１５ａ  前面
１６  ラッチ杆
１７  ラッチ杆連結体
１７ａ  角形係合孔
１７ｂ  外嵌部
１８  突出部
１８ａ  前面
１９  作動アーム
２０  引手当接部
２１  連結体当接部
２２  本体部
２３  ハウジング
２４  係合孔
２６  ねじりコイルばね
２６ａ  コイル部
２６ｂ，２６ｃ  端末部
２７  軸部
２８  係合溝部
【図１】
2006070434.tif 000003
【図２】
2006070434.tif 000004
【図３】
2006070434.tif 000005
【図４】
2006070434.tif 000006
【図５】
2006070434.tif 000007
【図６】
2006070434.tif 000008
【図７】
2006070434.tif 000009